(57)【特許請求の範囲】
【請求項１】
被梱包物よりも幅が広い第１の底面を備えた外部梱包材と、
前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材とを有する梱包材であり、
長手方向の中間部の幅が前記第２の底面と等しく形成されて前記被梱包物の上面および側面をカバーし、長手方向の両端部の幅を部分的に広くした凸部を有するスペーサーが前記切欠きに填め込まれることを特徴とする梱包材。
【請求項２】
並列した複数個の前記被梱包物が前記切欠きに固定されて前記内部梱包材に収納され、前記切欠きの前記被梱包物の厚さ方向の長さは、並列した複数個の前記被梱包物の厚さ方向の幅と前記スペーサーの厚さとを加算した長さに等しい請求項１に記載の梱包材。
【請求項３】
前記切欠きの上部に、前記第１の側面の一部を前記第２の側面側に水平に折り曲げた水平部を設けることを特徴とする請求項１または請求項２に記載の梱包材。
【請求項４】
前記第２の側面の垂直方向の長さを、前記第１の側面の垂直方向の長さよりも長く形成して、前記第２の側面の下端が前記第１の底面に当接することにより、前記第２の底面を前記第１の底面から離間させ、
前記第２の底面の両端に、垂直に折り曲げられた垂直部を設けることを特徴とする請求項３に記載の梱包材。
【請求項５】
請求項１〜請求項４に記載の梱包材には、
前記被梱包物として、リードが上を向いて導出された混成集積回路装置が複数並列されて梱包されて成る被梱包物が梱包材にセットされた回路装置。
【発明の詳細な説明】
【０００１】
【発明の属する技術分野】
本発明は梱包材に関するものであり、例えば混成集積回路装置を梱包する梱包材に関するものである。
【０００２】
【従来の技術】
図６を参照して、従来の梱包材５０について説明する。図６は、被梱包物として混成集積回路装置２を梱包する梱包材５０を展開した状態を示す斜視図である。
【０００３】
従来の梱包材５０は、外部梱包材６５と、内部梱包材６０とから構成されていた。外部梱包材６５は混成集積回路装置２の底部に当接して、全体を梱包する働きを有する。内部梱包材６０は並列した複数個の混成集積回路装置２をカバーする働きを有する。
【０００４】
内部梱包材６０の側面には、当接部６１が貼り付けられている。当接部６１は混成集積回路装置２のケース材の肩部付近に当接して、輸送中の衝撃等により混成集積回路装置２が、梱包材５０の内部で移動するのを防止する働きを有する。
【０００５】
【発明が解決しようとする課題】
しかしながら、上記したような従来の梱包材５０は、次のような問題を有していた。
【０００６】
第１に、梱包材５０は、内部梱包材の内壁に設けられた当接部６１が混成集積回路装置の側面に当接することにより、混成集積回路装置の固定を行っていた。しかしながら、当接部６１による混成集積回路装置の固定は不十分であった。従って、梱包材を輸送する段階に於いて、梱包材内部に於いて混成集積回路装置が移動して破損してしまう問題があった。このことから、破損した多数の混成集積回路装置が顧客から返品されてしまう問題があった。
【０００７】
第２に、従来の梱包材は全体の剛性が低いため、特に梱包材の長手方向に対して横方向の衝撃により、内包される混成集積回路装置のリードが曲がってしまう問題があった。
【０００８】
第３に、混成集積回路装置の側面の上部に当接する当接部６１は、内部梱包材の内壁に貼り付けられているため、梱包材を製造する工程に於いて、この当接部６１を貼り付ける工程が必要となる。このことから、梱包材のコストが上昇してしまう問題があった。
【０００９】
本発明は、上記した問題を鑑みて成されたものである。本発明の主な目的は、低コストであり且つ内包される混成集積回路装置等の被梱包物の破損を防止することができる梱包材を提供することにある。
【００１０】
【課題を解決するための手段】
本発明の梱包材は、被梱包物よりも幅が広い第１の底面を備えた外部梱包材と、前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材と、中間部の幅が前記第２の底面と等しく形成されて前記被梱包物の上面および側面をカバーするスペーサーと、を備え、前記スペーサーの長手方向の両端部の幅を部分的に広くした凸部が前記切欠きに填め込まれることを特徴とする。
【００１１】
本発明の梱包材は、被梱包物よりも幅が広い第１の底面を備えた外部梱包材と、前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材と、中間部の幅が前記第２の底面と等しく形成されて前記被梱包物の上面および側面をカバーするスペーサーと、を備え、並列した複数個の前記被梱包物が前記切欠きに固定されて前記内部梱包材に収納され、前記切欠きの前記被梱包物の厚さ方向の長さは、並列した複数個の前記被梱包物の厚さ方向の幅と前記スペーサーの厚さとを加算した長さに等しいことを特徴とする。
【００１２】
本発明の梱包材は、被梱包物よりも幅が広い第１の底面を備えた外部梱包材と、前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材と、を備え、前記切欠きの上部に、前記第１の側面の一部を前記第２の側面側に水平に折り曲げた水平部を設けることを特徴とする。
【００１３】
本発明の梱包材は、被梱包物よりも幅が広い第１の底面を備えた外部梱包材と、前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材と、を備え、前記第２の側面の垂直方向の長さを、前記第１の側面の垂直方向の長さよりも長く形成して、前記第２の側面の下端が前記第１の底面に当接することにより、前記第２の底面を前記第１の底面から離間させ、前記第２の底面の両端に、垂直に折り曲げられた垂直部を設けることを特徴とする。
【００１４】
本発明の梱包材は、被梱包物よりも幅が広い第１の底面を備えた外部梱包材と、前記外部梱包材に内包される梱包材であり、第２の底面と、前記第２の底面から垂直に曲折された第１の側面と、前記第１の側面よりも外側に位置して前記第２の底面に対して垂直と成るように曲折された第２の側面と、前記第１の側面を切り欠いて設けられて前記被梱包物の両端部が固定される切欠きと、を有し、前記第１の側面と連続する部分の前記第２の底面の幅が前記被梱包物よりも狭く形成された内部梱包材と、を備え、前記被梱包物はリードが一側辺から導出する混成集積回路装置であり、前記外部梱包材の底面の短手方向から延在する側面部にフラップが設け、前記フラップを、前記内部梱包材に収納された前記混成集積回路装置に当接させることを特徴とする。
【００２１】
【発明の実施の形態】
図１を参照して、本発明の梱包材１の全体的な構成を説明する。図１は、被梱包物として混成集積回路装置２を梱包する梱包材１の斜視図である。
【００２２】
本発明の梱包材１は、外部梱包材２０と、外部梱包材２０に内包され且つ被梱包物として混成集積回路装置２を梱包する内部梱包材１０と、梱包材１全体の剛性を向上させるスペーサー３０とから構成されている。本発明では、被梱包物として混成集積回路装置２が採用され、複数個の並列された混成集積回路装置２がリードが導出される辺を上側にして梱包されている。このような構成要素を以下にて説明する。
【００２３】
外部梱包材２０は、その内部に内部梱包材１０を収納させる役割を有し、１枚の段ボールを曲折させることにより形成されている。底部には、第１の底面２１（図示せず）が設けられており、この第１の底面２１の幅は、混成集積回路装置２の幅よりも大きく形成されている。即ち、第１の底面２１の幅は、混成集積回路装置２の幅と第２の側面の幅を加算した程度の幅である。
【００２４】
外部梱包材２０の側面部である外部側面２２には、フラップ２４が設けられている。ここでは、このフラップ２４は外部梱包材２０と内部梱包材１０との間に挿入される。また、フラップ２４を第１の側面１２と第２の側面１３の間に挿入させることもできる。このことにより、フラップ２４の先端部２４Ａが、両端の混成集積回路装置２の側面に当接する。このことにより、混成集積回路装置２をその厚さ方向に固定することができる。
【００２５】
内部梱包材１０は、外部梱包材に内包され、被梱包物として混成集積回路装置２を梱包する働きを有する。第２の底面１５は、混成集積回路装置２の底部に当接する。そして、混成集積回路装置２が収納されない部分に於いては、第２の底面１５の幅は、混成集積回路装置２の幅よりも小さく形成されている。更なる詳細は、図２を参照して説明する。
【００２６】
スペーサー３０は、混成集積回路装置２をカバーするように内部梱包材１０に填め込まれることで、内部梱包材１０の剛性を強化する働きを有する。従って梱包材１全体の剛性も強化される。特に、梱包材１の長手方向に対して横方向に外力が加わっても、このスペーサー３０の働きにより、梱包材１は変形しない。従って、混成集積回路装置２のリード３が折れ曲がって破損してしまうのを防止することができる。また、スペーサー３０の両端には、切欠き１１の形状に対応する凸部３１が設けられている。凸部３１が切欠き１１に填め込まれることで、スペーサー３０は内部梱包材１０に固定されている。
【００２７】
図２を参照して、内部梱包材１０の構造を詳細に説明する。図２は内部梱包材１０が混成集積回路装置２を梱包する状態を指し示す断面図である。
【００２８】
第１の側面１２および第２の側面１３は、第２の底面１５より垂直方向に曲折して設けられている。第１の側面１２および第２の側面１３の垂直方向の高さは、混成集積回路装置２のリードを含めた高さよりも高く設定してある。従って、梱包される混成集積回路装置２を保護することができる。
【００２９】
切欠き１１は、第１の側面１２を部分的に削除することにより設けられている。切欠き１１の高さは、混成集積回路装置２のケース材の部分の高さと同等程度である。従って、混成集積回路装置２のケース材の部分が、切欠き１１に入り込むことにより、混成集積回路装置２の両側が固定される。従って、混成集積回路装置２は、内部梱包材１０に強固に固定されるので、混成集積回路装置２が梱包材の内部で移動して破損してしまうのを防止することができる。
【００３０】
切欠き１１の混成集積回路装置２の厚さ方向の長さは、並列した複数個の混成集積回路装置２の厚さ方向の長さと、切欠き１１に填め込まれるスペーサー３０の厚さを加算した長さと同等になっている。従って、混成集積回路装置２はその厚さ方向にも位置固定されているので、梱包材１０の内部で移動しない。更に、切欠き１１の幅は、内部梱包材１０の長手方向の長さよりも小さくしてあり、内部梱包材１０の両端部には、混成集積回路装置２が梱包されない空間が形成される。従って、この空間が緩衝領域となり、外力から混成集積回路装置２を保護することができる。
【００３１】
第１の水平部１４は、内部梱包材を形成する段ボールの、第１の側面１２と第２の側面１３との間に於いて、水平に延在している部分である。従って、梱包材の長手方向に対して横方向に外力が作用した際に、段ボールが局所的に変形するのを防止することができる。更には、梱包材全体の剛性を向上させることができる。
【００３２】
第２の水平部１６は、切欠き１１の上部に対応する第１の側面を、第２の側面１３側に水平方向に曲折させることにより、水平に延在する部分である。従って、梱包材の長手方向に対して横方向に外力が作用した際に、段ボールが局所的に変形するのを防止することができる。更には、梱包材全体の剛性を向上させることができる。また、第２の水平部１６により、混成集積回路装置２の両側を切欠き１１に填め込むための空間を確保することができる。
【００３３】
第１の垂直部１７は、第２の底面が第２の側面に延在する方向の両端から、垂直の下方向に延在している。第１の垂直部１７の下辺は、第２の側面１３の下辺と同一平面上にある。従って、第１の垂直部１７の下辺は、外部梱包材の第１の底辺２１に当接する。このように、第２の底面の両端に第１の垂直部１７を設けることにより、被梱包物である混成集積回路装置２の重さによる、第２の底面１５の下方向への変形を防止することができる。
【００３４】
第２の底面１５は、混成集積回路装置２が載置される領域の幅が、混成集積回路装置２は載置されない領域の幅よりも大きく形成されている。即ち、切欠き１１が形成される箇所に対応する第２の底面１５は、第２の側面に当接するまで延在している。従って、梱包材の長手方向に対して横方向に外力が作用した際に、段ボールが局所的に変形するのを防止することができる。更には、梱包材全体の剛性を向上させることができる。更にまた、混成集積回路装置２の両側を、切欠き１１に填め込むための空間を確保することができる。
【００３５】
第２の側面１３の垂直方向の長さは、第１の側面１２の垂直方向の長さよりも長く形成してある。従って、第２の側面１３の下辺が、外部梱包材２０の第１の底面２１（図示せず）に当接し、第２の底面１５と第１の底面２１は離間することになる。このことから、第２の底面１５と第１の底面２１との間には、空間が形成されて緩衝領域となり、底部に加わる外力により混成集積回路装置２が破損してしまうのを防止することができる。
【００３６】
次に、図３から図５を参照して、外部梱包材２０、内部梱包材１０およびスペーサー３０の展開図を説明する。同図に於いて、点線は折り曲げる箇所を示している。また、折り曲げる箇所に於いては、必要に応じて、折り曲げを容易にするための切り込みが設けられても良い。
【００３７】
図３を参照して、外部梱包材２０を構成するダンボールの展開図を説明する。外部梱包材２０は、同図に示すような形状を有する段ボールを曲折させることにより形成される。第１の底面２１となる領域の横方向の幅は、梱包される混成集積回路装置よりも大きく形成されている。更に、第１の底面２１の四方には、外部梱包材２０の側面および上面となる、外部側面２２および蓋部２３が連続している。第１の底面２１の短辺に連続する外部側面２２には、外部梱包材２０の内部に挿入されるフラップ２４が設けられている。
【００３８】
図４を参照して、内部梱包材１０を構成するダンボールの展開図を説明する。内部梱包材１０は、同図に示すような形状を有する段ボールを曲折させることにより形成される。第２の底面１５となる領域の横方向の幅は、梱包される混成集積回路装置よりも小さく形成されている。更に、第２の底面１５の両側には、第１の側面１２、第１の水平部１４および第２の側面１３が延在している。
【００３９】
第２の底面１５の、被梱包物が載置される領域は、他の領域よりも横方向の幅が大きく形成されている。ここでは、上下の端部付近の第２の底面１５の横方向の幅よりも、中間部付近の第２の底面１５の横方向の幅が、大きく形成されている。従って、内部梱包材１０を曲成すると、中間部付近の第２の底面１５の横方向の端部が、第２の側面に当接する。
【００４０】
第１の側面１２は、点線１０Ａにて段ボールを垂直方向に曲折することにより形成される。更に、第１の側面１２を、部分的に切除することにより切欠き１１が設けられている。この切欠き部の形状の詳細に付いては上述したので、ここでは省略する。
【００４１】
第２の水平部１６は、点線１０Ｂで第１の側面を、紙面に突き抜ける方向に折り曲げることにより形成される。また、第１の水平部１４は、点線１０Ｃおよび１０Ｄをほぼ直角に折り曲げることにより形成される。
【００４２】
第２の側面１３は、横方向の長さが、第１の側面よりも長く形成されている。このことによる作用等は上述したので、ここでは省略する。
【００４３】
図５を参照して、スペーサー３０を構成するダンボールの展開図を説明する。スペーサー３０は、同図に示すような形状を有する段ボールを曲折させることにより形成される。スペーサー３０の横方向の幅は、内部梱包材１０の第２の側面幅と同等である。そして、両端には、切欠き１１の形状に対応した凸部３１が設けられている。
【００４４】
上記したように、梱包材１は、内部梱包材１０、外部梱包材２０およびスペーサー３０の３つの部材を組み合わせることにより形成されている。そして、それぞれの部材は、１枚の段ボールを曲折させることにより形成されている。
【００４５】
【発明の効果】
本発明では、以下に示すような効果を奏することができる。
【００４６】
第１に、切欠き１１に混成集積回路装置２の両側を固定させることができるので、梱包材の内部で混成集積回路装置２が移動して破損してしまうのを防止しすることができる。
【００４７】
第２に、輸送中の外部衝撃により、内部梱包材１０に複数の水平部を設けたので、梱包材全体の剛性を向上させることができる。更に、梱包材の長手方向に対して横方向の外力が、梱包材に加わった場合でも、被梱包材である混成集積回路装置２が破損してしまうのを防止することができる。
【００４８】
第３に、本発明の梱包材は、数枚の段ボールを曲折させることにより、製造することができるので、従来のものと比較すると製造コストを低減させることができる。
【図面の簡単な説明】
【図１】本発明の梱包材の梱包状態を示す斜視図。
【図２】本発明の内部梱包材の梱包状態を示す斜視図。
【図３】外部梱包材２０の展開図。
【図４】内部梱包材１０の展開図。
【図５】スペーサー３０の展開図。
【図６】従来の梱包材の梱包状態を示す斜視図。
【図１】
0004266564.tif 000002
【図２】
0004266564.tif 000003
【図３】
0004266564.tif 000004
【図４】
0004266564.tif 000005
【図５】
0004266564.tif 000006
【図６】
0004266564.tif 000007